(57)【要約】      （修正有）【課題】設備費及び工数の削減によるコストダウンを図る。【解決手段】ボトムシャーシと蓋板１Ｂとからなるローダーシャーシ１を有し、ボトムシャーシにターンテーブルと光ピックアップとが配置され、蓋板１Ｂの中央開口部１ａの内周縁からローダーシャーシ１内に向けて折り曲げた一対の支持板６５に枢支軸７が突設され、クランパを一定範囲内移動可能に取り付けた可動枠８の両側縁から折り曲げた側板８ａに枢支孔６６が貫設され、各枢支孔６６を各枢支軸７に嵌合させることにより、可動枠８が蓋板１Ｂの中央開口部１ａ内に回動可能に配置されており、枢支軸７が、円柱状軸本体６９と、軸本体６９の基端面に同心状に一体突設したタップタイト７０とを有し、その軸本体６９の先端面に操作凹部７１が形成されており、操作凹部７１に係合する工具を操作してタップタイト７０を支持板６５の支持孔５０にねじ込むようにした。【選択図】図１
2012221527.tif 000002
【特許請求の範囲】
【請求項１】
ボトムシャーシと、該ボトムシャーシに被せた蓋板とからなるローダーシャーシを有し
、前記ボトムシャーシにターンテーブルと光ピックアップとが配置され、前記蓋板の中央
開口部の内周縁からローダーシャーシ内に向けて折り曲げた一対の支持板に枢支軸が突設
され、クランパを一定範囲内移動可能に取り付けた可動枠の両側縁から折り曲げた側板に
枢支孔が貫設され、該各枢支孔を各枢支軸に嵌合させることにより、可動枠が蓋板の中央
開口部内に回動可能に配置されており、可動枠を介してクランパが持ち上げられた状態で
、ディスクをローダーシャーシ内にスロットインさせてターンテーブルと同心状に位置決
めし、可動枠を回動させてクランパとターンテーブルとでディスクをクランプするように
したディスク装置において、前記枢支軸が、円柱状軸本体と、該軸本体の基端面に同心状
に一体突設したタップタイトとを有し、その軸本体の先端面に操作凹部が形成されており
、該操作凹部に係合する工具を操作してタップタイトを前記支持板の支持孔にねじ込むよ
うにしたことを特徴とするディスク装置。
【請求項２】
ボトムシャーシと、該ボトムシャーシに被せた蓋板とからなるローダーシャーシを有し
、前記ボトムシャーシにターンテーブルと光ピックアップとが配置され、ローダーシャー
シのディスク挿入口に接近して蓋板の裏面にガイド板が配置されると共に、該ガイド板に
対向して揺動フラップが設けられ、該揺動フラップがフラップ本体を有し、該フラップ本
体の両側縁から折り曲げた支持板に突設した一対の枢支軸をボトムシャーシの軸受凹部に
係合させることにより、揺動フラップが枢支軸を中心に揺動可能に枢支され、前記フラッ
プ本体の基端側にガイドローラが回転可能に配置されており、揺動フラップの基端側を押
し上げてガイドローラをガイド板に接近または当接させた状態でディスク挿入口にディス
クをスロットインすると、そのディスクが回転するガイドローラによりローダーシャーシ
内に引き込まれるようにしたディスク装置において、前記枢支軸が、円柱状軸本体と、該
軸本体の基端面に同心状に一体突設したタップタイトとを有し、その軸本体の先端面に操
作凹部が形成されており、該操作凹部に係合する工具を操作してタップタイトを前記支持
板の支持孔にねじ込むようにしたことを特徴とするディスク装置。
【発明の詳細な説明】
【技術分野】
【０００１】
本発明は、例えばＤｉｓｃスロットイン機構方式のＢｌｕ−ｒａｙ  Ｄｉｓｃ式ディス
ク装置（レコーダまたはプレーヤ）に関し、特に、設備費及び工数の削減によるコストダ
ウンを図るようにしたものである。
【背景技術】
【０００２】
図６〜図８はＤｉｓｃスロットイン機構方式のＢｌｕ−ｒａｙ  Ｄｉｓｃ式ディスク装
置を示すものであって、図６は直径８ｃｍの小形ディスクＤａ（及び１２ｃｍの大形ディ
スクＤｂ）のスロットイン状態を示すディスク装置の平面図、図７（ａ）は同中央縦断面
図、図７（ｂ）は同側部縦断面図、図８（ａ）は同クランプ状態の中央縦断面図、図８（
ｂ）は同状態の側部縦断面図である。
【０００３】
図６及び図７において、前記ディスク装置は、ボトムシャーシ１Ａと、該ボトムシャー
シ１Ａに被せた蓋板１Ｂとからなるローダーシャーシ１を有し、該ローダーシャーシ１の
前面にディスクＤａ，Ｄｂをスロットインａ及びスロットアウトｂするためのディスク挿
入口２が形成され、ボトムシャーシ１Ａにターンテーブル３付きスピンドルモータ４とガ
イド軸５に沿って移動可能な光ピックアップ６とが配置され、蓋板１Ｂの中央開口部１ａ
内に配置されて該蓋板１Ｂに枢支軸７を中心に矢印ｃ，ｄ方向に回動可能に枢支された可
動枠８が設けられ、ターンテーブル３に対向してクランパ９が可動枠８に一定範囲内移動
可能に取り付けられ、該可動枠８を矢印ｃ方向に引っ張るばね１０が設けられている。
【０００４】
前記可動枠８に長孔１１がスロットインａ方向に沿って貫設され、その可動枠８の裏面
側で長孔１１にスライド可能に係合するスライド枠１２が設けられ、該スライド枠１２に
ディスク位置決め片１２ａが一体突設されている。
【０００５】
前記可動枠８の表面側に連結レバー１４が支軸１５を中心にｅ，ｆ方向に回動可能に配
置され、該連結レバー１４の一端に貫設した長孔状連結孔１６をスライド枠１２に一体突
設した連結片１２ｂに回動可能に嵌合させることにより、連結レバー１４とスライド枠１
２とが連動連結されている。
【０００６】
前記連結レバー１４の他端に支軸１５を中心にして円弧状ロック孔１７が貫設され、該
ロック孔１７の外周側縁の両端に一対のロック溝１７ａ，１７ｂが凹設され、連結レバー
１４を矢印ｆ方向に引っ張るばね１８が設けられている。
【０００７】
前記蓋板１Ｂの表面側にロックレバー２０が支軸２１を中心に矢印ｇ，ｈ方向に回動可
能に配置され、該ロックレバー２０の一端に突設したロックピン２２がロック孔１７から
いずれか一方のロック溝１７ａ（または１７ｂ）に嵌入され、そのロックレバー２０の他
端に突設したロック解除ピン２３が蓋板１Ｂの貫通孔２４を通ってディスク挿入口２内に
挿通され、ロックレバー２０を矢印ｈ方向に引っ張るばね２５が設けられている。
【０００８】
図６及び図７（ｂ）に示すように、前記ローダーシャーシ１内の一側縁に沿ってスライ
ドカム２７が矢印ａ，ｂ方向にスライド可能に配置され、該スライドカム２７の基端側に
貫設したカム溝２８ａと、可動枠８の一側縁に突設されてカム溝２８ａに嵌入するカムピ
ン２８ｂとからなるカム機構２８が設けられている。
【０００９】
図７（ｂ）に示すように、スライドカム２７の先端側に貫設した長孔３０の内側縁にカ
ムラック３１が形成され、該カムラック３１に噛合して駆動モータ（図示せず）により正
逆駆動される駆動ピニオン３２が設けられている。
【００１０】
図６及び図７に示すように、前記ディスク挿入口２に接近して蓋板１Ｂの裏面にガイド
板３４が配置されると共に、該ガイド板３４に対向してボトムシャーシ１Ａ側に揺動フラ
ップ３５が設けられており、該揺動フラップ３５は、板金からなり、矢印ａ，ｂ方向とは
直交する方向に延びて枢支軸３６を中心に矢印ｉ，ｊ方向に揺動可能なフラップ本体３５
ａを有し、該フラップ本体３５ａの基端側にガイドローラ３７が回転可能に配置され、該
ガイドローラ３７をガイド板３４に向けて矢印ｉ方向に付勢するばね３８が設けられ、ガ
イドローラ３７の一端に従動歯車３９が固着されており、図７（ａ）（ｂ）に示すように
、ばね３８によりフラップ本体３５ａの基端側を押し上げてガイドローラ３７を持ち上げ
たときに従動歯車３９が駆動歯車４０（図６参照）に噛合される。
【００１１】
図６〜図８に示すように、フラップ本体３５ａの一側縁から折り曲げた側板３５ｂに係
合ピン４２が一体突設され、該係合ピン４２に対向して前記スライドカム２７の先端縁角
部の切除して傾斜面４３が形成されており、該スライドカム２７を矢印ｂ方向にスライド
させて傾斜面４３で係合ピン４２をばね３８に抗して押し下げることにより、揺動フラッ
プ３５が矢印ｊ方向に押し下げられ、フラップ本体３５ａの先端縁に一体突設したガード
板３５ｃによりディスク挿入口２が塞がれる〔図８（ａ）参照〕。
【００１２】
図６及び図７は小形ディスクＤａのスロットインａ状態を示すものであって、カム機構
２８により可動枠８が枢支軸７回りで矢印ｃ方向に回動され、クランパ９が持ち上げられ
ている。また、揺動フラップ３５がばね３８により矢印ｉ方向に回動されており、ガイド
ローラ３７がガイド板３４に接近または当接され、該ガイドローラ３７の従動歯車３９が
駆動歯車４０に噛合されている。
【００１３】
更に、ばね１８により連結レバー１４が矢印ｆ方向に引っ張られてロックピン２２が一
方のロック溝１７ａに嵌入され、スライド枠１２がターンテーブル３に接近した前段位置
Ａでロックされている。
【００１４】
この状態で、小形ディスクＤａをディスク挿入口２内にスロットインａすると、該小形
ディスクＤａがガイドローラ３７とガイド板３４とで挟まれ、その小形ディスクＤａを検
知する検知信号に基づいて駆動モータ（図示せず）を駆動することにより、駆動歯車４０
及び従動歯車３９を介してガイドローラ３７が正転され、小形ディスクＤａがディスク位
置決め片１２ａに当たるまで送り込まれて前段位置Ａでターンテーブル３と同心状に位置
決めされる。
【００１５】
続いて、図８に示すように、小形ディスクＤａが前段位置Ａに達したことを検知する検
知信号に基づいて駆動モータ（図示せず）を駆動することにより駆動ピニオン３２及びカ
ムラック３１を介してスライドカム２７を矢印ｂ方向にスライドさせ、該スライドカム２
７の傾斜面４３により係合ピン４２を押し下げ、該係合ピン４２がスライドカム２７の下
縁に当接されることにより、揺動フラップ３５がばね３８に抗して矢印ｊ方向に回動され
、ガイドローラ３７が小形ディスクＤａから離間され，従動歯車３９が駆動歯車４０から
離間される。
【００１６】
スライドカム２７を矢印ｂ方向にスライドさせることにより、カム機構２８を介して可
動枠８が矢印ｄ方向に回動されることにより、クランパ９とターンテーブル３とで小形デ
ィスクＤａがクランプされ〔図８（ａ）参照〕、その小形ディスクＤａからディスク位置
決め片１２ａがわずかな間隔をおいて離間される。その後、スピンドルモータ４によりタ
ーンテーブル３を介して小形ディスクＤａが高速回転され、光ピックアップ６によりその
小形ディスクＤａに記録されている情報を読み取る。
【００１７】
小形ディスクＤａをスロットアウトｂする場合は、上記とはほぼ逆の手順で行われるの
で、その説明を省略する。
【００１８】
図６に二点鎖線で示すように、大形ディスクＤｂをディスク挿入口２内にスロットイン
ａすると、その大形ディスクＤｂの外周縁がロック解除ピン２３に押し付けられてロック
レバー２０を矢印ｇ方向に回動させ、ロックピン２２が一方のロック溝１７ａから離脱さ
れ、スライド枠１２のロックが解除される。続いて、スロットインａした大形ディスクＤ
ｂによりディスク位置決め片１２ａが押されてスライド枠１２が前段位置Ａから後段位置
Ｂまでスライドされ、それに連動して連結レバー１４が矢印ｅ方向に回動され、ロックピ
ン２２が他方のロック溝１７ｂに嵌入され、スライド枠１２が後段位置Ｂでロックされ、
ディスク位置決め片１２ａにより大形ディスクＤｂがターンテーブル３と同心状態に位置
決めされる。以後は、小形ディスクＤａの場合と同様の手順で、大形ディスクＤｂがクラ
ンプされ、光ピックアップ６によりその大形ディスクＤｂに記録されている情報を読み取
る。
【００１９】
従来、図９及び図１０に示す可動枠８を回動可能に支持する枢支軸７や、図１１及び図
１２に示す揺動フラップ３５を回動可能に支持する枢支軸３６は、円柱状軸本体５３と、
該軸本体５３の基端面に同心状に一体突設したその軸本体５３よりも小径の円柱状突起部
５４とからなっている。なお、５５は軸本体５３の外周面に形成した環状溝であって、そ
の環状溝５５にカットワッシャを必要に応じて嵌合させる。
【００２０】
図９（ａ）（ｂ）及び図１０に示すように、蓋板１Ｂの中央開口部１ａの内周縁からロ
ーダーシャーシ１内に向けて折り曲げた一対の支持板６５に、突起部５４の外径ｒ１より
も若干大きい内径ｒ２（ｒ１＜ｒ２）の円形支持孔５０が貫設されており、その支持孔５
０に枢支軸７の突起部５４をカシメて固着している。
【００２１】
前記各枢支軸７に対応して、可動枠８の両側縁から折り曲げた側板８ａに枢支孔６６が
貫設されており、該各枢支孔６６を各枢支軸７に嵌合させることにより、その各枢支軸７
を中心に可動枠８が矢印ｃ，ｄ方向に回動可能に枢支されている。
【００２２】
図１１（ａ）（ｂ）及び図１２に示すように、揺動フラップ３５の両側縁から折り曲げ
た一対の支持板６５に、突起部５４の外径ｒ１よりも若干大きい内径ｒ２（ｒ１＜ｒ２）
の円形支持孔５０が貫設されており、その支持孔５０に枢支軸３６の突起部５４をカシメ
て固着している。
【００２３】
前記各枢支軸３６に対応して、ボトムシャーシ１Ａに軸受凹部６７が形成されており、
その各軸受凹部６７に枢支軸３６を嵌合させることにより、その枢支軸３６を中心に揺動
フラップ３５が矢印ｉ，ｊ方向に揺動可能に枢支されている。
【００２４】
枢支軸７，３６の取付手順を説明すると、図１３（ａ）に示すように、突起部５４を支
持孔５０に挿入し、図１３（ｂ）に示すように、カシメ機で加圧Ｐすることにより、突起
部５４をカシメて支持孔５０に固着し、軸本体５３の軸心Ｏが支持板６５に対して垂直状
態になるように起立させる。関連する技術として特許文献１に記載したものがある。
【先行技術文献】
【特許文献】
【００２５】
【特許文献１】特開２００９−５４２０８号公報
【発明の概要】
【発明が解決しようとする課題】
【００２６】
上記従来の構成では、図１３（ｂ）に示すように、カシメ機による加圧Ｐを正確に行う
必要があるが、支持孔５０の内径ｒ２が突起部５４の外径ｒ１よりも若干大径（ｒ１＜ｒ
２）であることから、その加圧Ｐの際に、軸本体５３が傾くことがあり、その傾きによっ
て、支持孔５０の軸心Ｏａから軸本体５３の軸心Ｏがわずかの角度α分ずれるおそれがあ
り、これでは可動枠８及び揺動フラップ３５の動作を円滑に行うことができなくなる。
【００２７】
上記のように軸本体５３が傾いたままカシメられた場合には、枢支軸７と蓋板１Ｂ（及
び枢支軸３６と揺動フラップ３５）を廃棄するしかなく、再使用は不可能であるから、コ
ストアップになる。
【００２８】
本発明は、上記従来の欠点に鑑み、設備費及び工数の削減によるコストダウンを図るよ
うにしたディスク装置を提供することを目的としている。
【課題を解決するための手段】
【００２９】
上記目的を達成するため、請求項１に記載の発明は、ボトムシャーシと、該ボトムシャ
ーシに被せた蓋板とからなるローダーシャーシを有し、前記ボトムシャーシにターンテー
ブルと光ピックアップとが配置され、前記蓋板の中央開口部の内周縁からローダーシャー
シ内に向けて折り曲げた一対の支持板に枢支軸が突設され、クランパを一定範囲内移動可
能に取り付けた可動枠の両側縁から折り曲げた側板に枢支孔が貫設され、該各枢支孔を各
枢支軸に嵌合させることにより、可動枠が蓋板の中央開口部内に回動可能に配置されてお
り、可動枠を介してクランパが持ち上げられた状態で、ディスクをローダーシャーシ内に
スロットインさせてターンテーブルと同心状に位置決めし、可動枠を回動させてクランパ
とターンテーブルとでディスクをクランプするようにしたディスク装置において、前記枢
支軸が、円柱状軸本体と、該軸本体の基端面に同心状に一体突設したタップタイトとを有
し、その軸本体の先端面に操作凹部が形成されており、該操作凹部に係合する工具を操作
してタップタイトを前記支持板の支持孔にねじ込むようにしたことを特徴としている。
【００３０】
請求項２に記載の発明は、ボトムシャーシと、該ボトムシャーシに被せた蓋板とからな
るローダーシャーシを有し、前記ボトムシャーシにターンテーブルと光ピックアップとが
配置され、ローダーシャーシのディスク挿入口に接近して蓋板の裏面にガイド板が配置さ
れると共に、該ガイド板に対向して揺動フラップが設けられ、該揺動フラップがフラップ
本体を有し、該フラップ本体の両側縁から折り曲げた支持板に突設した一対の枢支軸をボ
トムシャーシの軸受凹部に係合させることにより、揺動フラップが枢支軸を中心に揺動可
能に枢支され、前記フラップ本体の基端側にガイドローラが回転可能に配置されており、
揺動フラップの基端側を押し上げてガイドローラをガイド板に接近または当接させた状態
でディスク挿入口にディスクをスロットインすると、そのディスクが回転するガイドロー
ラによりローダーシャーシ内に引き込まれるようにしたディスク装置において、前記枢支
軸が、円柱状軸本体と、該軸本体の基端面に同心状に一体突設したタップタイトとを有し
、その軸本体の先端面に操作凹部が形成されており、該操作凹部に係合する工具を操作し
てタップタイトを前記支持板の支持孔にねじ込むようにしたことを特徴としている。
【発明の効果】
【００３１】
請求項１に記載の発明によれば、枢支軸の操作凹部に係合する工具を操作してタップタ
イトをローダーシャーシ用蓋板の一対の支持板の支持孔にねじ込むだけで、その一対の支
持板に枢支軸を固着することができると共に、前記工具の操作手段として安価な電動ドラ
イバーを利用でき、高価なカシメ機が不要であり、工程数も少ないから、コストダウンを
図ることができる。
【００３２】
また、枢支軸のタップタイトを蓋板の支持孔にねじ込んだときに、該枢支軸が傾いた場
合には、そのねじ込みを解除し、再度、タップタイトのねじ込みを行うことにより、その
傾きを解消して枢支軸を所定通りに起立させることができ、その枢支軸及び蓋板を従来の
ように廃棄することなく再使用することができ、この点でもコストダウンを図ることがで
きる。
【００３３】
請求項２に記載の発明によれば、請求項１に記載の発明と同様に、枢支軸の取付用工具
の操作手段として安価な電動ドライバーを利用でき、高価なカシメ機が不要であり、工程
数も少ないから、コストダウンを図ることができると共に、枢支軸が傾いた場合には、そ
のねじ込みを解除し、再度、タップタイトのねじ込みを行うことにより、その傾きを解消
して枢支軸を所定通りに起立させることができ、その枢支軸及び揺動フラップを従来のよ
うに廃棄することなく再使用することができ、この点でもコストダウンを図ることができ
る。
【図面の簡単な説明】
【００３４】
【図１】（ａ）は本発明の実施の一形態であるディスク装置の要部の分解斜視図、（ｂ）は同要部の他の分解斜視図である。
【図２】（ａ）は可動枠付近の拡大縦断面図、（ｂ）はＡ−Ａ矢視図である。
【図３】（ａ）〜（ｃ）は同取付手順を示す説明図である。
【図４】（ａ）は揺動フラップ付近の分解斜視図、（ｂ）は同要部の他の分解図である。
【図５】（ａ）は同揺動フラップ付近の拡大縦断面図、（ｂ）はＢ−Ｂ矢視図である。
【図６】スロットイン状態を示すディスク装置の平面図である。
【図７】（ａ）は同中央縦断面図、（ｂ）は同側部縦断面図である。
【図８】（ａ）は同クランプ状態の中央縦断面図、（ｂ）は同状態の側部縦断面図である。
【図９】（ａ）は従来の可動枠付近の分解斜視図、（ｂ）は同要部の他の分解斜視図である。
【図１０】同可動枠付近の拡大縦断面図である。
【図１１】（ａ）は従来の揺動フラップ付近の分解斜視図、（ｂ）は同要部の他の分解図である。
【図１２】同揺動フラップ付近の拡大縦断面図である。
【図１３】（ａ）（ｂ）は同取付手順を示す説明図である。
【発明を実施するための形態】
【００３５】
図１〜図５は本発明の実施の一形態であるディスク装置を示すものであり、これはＤｉ
ｓｃスロットイン機構方式のＢｌｕ−ｒａｙ  Ｄｉｓｃ式のレコーダ（またはプレーヤ）
であって、可動枠８を回動可能に枢支する枢支軸７が、円柱状軸本体６９と、該軸本体６
９の基端面に同心状に一体突設したタップタイト７０とを有し、軸本体６９の先端面に操
作凹部７１が形成されている。上記以外の構成は図６〜図８に示す構成とほぼ同じである
から、同一部分に同一符号を付してその説明を省略する。
【００３６】
前記タップタイト７０は、図２（ｂ）に示すように、横断面が丸みをおびた三角形に形
成された雄ねじからなり、外周面に３つの角部７０ａを有し、図１（ｂ）に示すように、
その外径ｒ１が蓋板１Ｂの一対の支持板６５に貫設した支持孔５０の内径ｒ２よりも若干
大きく設定されており（ｒ１＞ｒ２）、該タップタイト７０の各角部７０ａで支持孔５０
の内周面にねじ溝を強制的に形成して強固にねじ込むことができ、各角部７０ａがねじ溝
に引っ掛かることにより、ねじ込んだタップタイト７０が緩まない。
【００３７】
前記操作凹部７１は、図１（ｂ）に示すように、六角孔形や十字孔形などの多角孔形に
形成されている。
【００３８】
前記枢支軸７の取付手順を説明すると、図３（ａ）に示すように、電動ドライバーなど
で操作される多角形棒状工具６２を枢支軸７の操作凹部７１に係合させ、図３（ｂ）に示
すように、タップタイト７０を支持板６５の支持孔５０にねじ込む。
【００３９】
上記タップタイト７０をねじ込んだときに、軸本体６９が傾いて、支持孔５０の軸心Ｏ
ａから軸本体６９の軸心Ｏがわずかの角度α分ずれた場合には、ねじ込みを解除し、再度
、タップタイト７０のねじ込みを行って、図３（ｃ）に示すように、軸本体６９の軸心Ｏ
が支持板６５に対して垂直状態になるように起立させる。
【００４０】
上記構成によれば、枢支軸７の操作凹部７１に係合する工具６２を操作してタップタイ
ト７０をローダーシャーシ用蓋板１Ｂの一対の支持板６５の支持孔５０にねじ込むだけで
、その一対の支持板６５に枢支軸７を固着することができると共に、前記工具６２の操作
手段として安価な電動ドライバーを利用でき、高価なカシメ機が不要であり、工程数も少
ないから、コストダウンを図ることができる。
【００４１】
また、枢支軸７のタップタイト７０を蓋板１Ｂの支持孔５０にねじ込んだときに、該枢
支軸７が傾いた場合には、そのねじ込みを解除し、再度、タップタイト７０のねじ込みを
行うことにより、その傾きを解消して枢支軸７を所定通りに起立させることができ、その
枢支軸７及び蓋板１Ｂを従来のように廃棄することなく再使用することができ、この点で
もコストダウンを図ることができる。
【００４２】
図４及び図５に示すように、揺動フラップ３５を枢支する枢支軸３６についても、円柱
状軸本体６９と、該軸本体６９の基端面に同心状に一体突設したタップタイト７０とを有
し、その軸本体６９の先端面に操作凹部７１が形成されており、図３に示す取付手順に基
づいて、タップタイト７０を揺動フラップ３５の一対の支持板６５の支持孔５０にねじ込
み、その枢支軸３６を支持板６５に固着する。
【００４３】
上記構成によれば、枢支軸３６の取付用工具の操作手段として安価な電動ドライバーを
利用でき、高価なカシメ機が不要であり、工程数も少ないから、コストダウンを図ること
ができると共に、枢支軸３６が傾いた場合には、そのねじ込みを解除し、再度、タップタ
イト７０のねじ込みを行うことにより、その傾きを解消して枢支軸３６を所定通りに起立
させることができ、その枢支軸３６及び揺動フラップ３５を従来のように廃棄することな
く再使用することができ、この点でもコストダウンを図ることができる。
【符号の説明】
【００４４】
１              ローダーシャーシ
１Ａ            ボトムシャーシ
１Ｂ            蓋板
１ａ            蓋板の中央開口部
２              ディスク挿入口
３              ターンテーブル
６              光ピックアップ
８              可動枠
９              クランパ
３５            揺動フラップ
３７            ガイドローラ
６０            支持孔
６５            支持板
６６            枢支孔
６９            軸本体
７０            タップタイト
７１            操作凹部
Ｄａ，Ｄｂ      ディスク
ａ              スロットイン
ｂ              スロットアウト
【図１】
2012221527.tif 000003
【図２】
2012221527.tif 000004
【図３】
2012221527.tif 000005
【図４】
2012221527.tif 000006
【図５】
2012221527.tif 000007
【図６】
2012221527.tif 000008
【図７】
2012221527.tif 000009
【図８】
2012221527.tif 000010
【図９】
2012221527.tif 000011
【図１０】
2012221527.tif 000012
【図１１】
2012221527.tif 000013
【図１２】
2012221527.tif 000014
【図１３】
2012221527.tif 000015